(57)【特許請求の範囲】
【請求項１】
外輪相当部材と、
該外輪相当部材の内側に該外輪相当部材と同心に配置される内輪相当部材と、
前記外輪相当部材の内周面と前記内輪相当部材の外周面のうちの一方の周面に、その深さが円周方向一方から他方に向かって漸減するように、円周方向に亙ってそれぞれ設けられる複数のカム面と、他方の周面に設けた円筒面との間に配置される複数のローラと、
一対の円環部と、該一対の円環部間を連結する複数の柱部とを有し、前記複数のローラを保持する保持器と、
を備えるローラクラッチであって、
前記複数のカム面は、前記ローラに対して前記一方の周面の少なくとも軸方向一側に延出して形成されており、
前記一方の周面と対向する前記保持器の少なくとも一方の円環部の対向面には、前記カム面に沿った形状を有する少なくとも一つの傾斜凸部が設けられ、
前記保持器は、所定の向きから、前記一方の周面を有する前記外輪相当部材又は前記内輪相当部材に対して配置可能であり、
前記傾斜凸部と、前記一方の周面を有する前記外輪相当部材又は前記内輪相当部材の軸方向側面との干渉のため、前記保持器は、前記所定の向きと逆向きから、前記外輪相当部材又は前記内輪相当部材に対して配置不可能であることを特徴とするローラクラッチ。  
【発明の詳細な説明】
【技術分野】
【０００１】
本発明は、ローラクラッチに関する。
【背景技術】
【０００２】
従来、ローラクラッチは、互いに同心に組み合わされた２個の部材のうち、一方の部材が両方向回転運動をした場合に、一方向の回転運動のみを他方の部材に伝達する一方向クラッチとして主に利用される。図６に示すように、ローラクラッチ１は、外輪相当部材である外輪２と、複数本のローラ３，３と、これら各ローラ３，３を付勢する不図示のばねと、保持器１０と、内輪相当部材である軸５と、を有する。
【０００３】
外輪２の内周面の複数箇所には、深さが円周方向一方から他方に向かって漸減するように形成されるカム面７が外輪２の軸方向に亙って形成され、これらのカム面７が円周方向に等間隔で形成されている。そして、複数のローラ３，３は、外輪２の内周面に設けられた各カム面７と、軸５の外周面に設けられた円筒面８との間に形成された各楔空間内に配置される。
【０００４】
また、保持器１０は、図７にも示すように、一対の円環部１１と、該一対の円環部１１間を連結する複数の柱部１２と、を有し、一対の円環部１１と隣接する柱部１２との間に形成されるポケット１３には、複数のローラ３，３が配置される。柱部１２には、ばねを保持するための中央保持部１４及び端部保持部１５が形成されており、この保持器１０に保持されたばねにより、ポケット１３内に配置された複数のローラ３，３が楔空間の浅くなる側に付勢されている。また、端部保持部１５の外周面には、外輪２のカム面７に向けて突出する突部１６が形成されており、保持器１０を外輪２に対して相対回転不能としている。
【０００５】
また、特許文献１に記載のスプラグクラッチ用の保持器では、保持器の組込み方向を確実に識別できるように、保持器の一方のフランジにローレット溝を形成することが記載されている。
【０００６】
また、特許文献２に記載のスプラグを用いた２方向差動クラッチでは、保持器のポケットの幅寸法と、スプラグの幅寸法を規定することで、スプラグの組立の誤りを防止している。
【先行技術文献】
【特許文献】
【０００７】
【特許文献１】特開平７−２４３４４６号公報
【特許文献２】特開平６−２４９２６６号公報
【発明の概要】
【発明が解決しようとする課題】
【０００８】
ところで、図６及び図７に示すローラクラッチにおいては、通常、外輪２と保持器１０とは、図８（ａ）に示すように正しく組みつけられるが、図８（ｂ）に示すように、外輪２と保持器１０とが逆向きに組み付けることが物理的に可能である。このような逆組みが行われると、クラッチは、正常にロック機能を発揮しなくなる。従来、組立て前と後に外観検査を行っているが、図６及び図７に示すクラッチは、物理的には逆組みできる構造であるため、そのまま流出する可能性があった。
特許文献１及び２は、ローラクラッチを対象としておらず、また、特許文献１は、物理的に逆組みを抑制する構成ではない。
【０００９】
本発明は、上述した事情に鑑みてなされたものであり、その目的は、ローラクラッチの機能を害さずに、逆組みを物理的に防ぐことができるローラクラッチを提供することにある。
【課題を解決するための手段】
【００１０】
本発明の上記目的は、下記の構成により達成される。
（１）  外輪相当部材と、
該外輪相当部材の内側に該外輪相当部材と同心に配置される内輪相当部材と、
前記外輪相当部材の内周面と前記内輪相当部材の外周面のうちの一方の周面に、その深さが円周方向一方から他方に向かって漸減するように、円周方向に亙ってそれぞれ設けられる複数のカム面と、他方の周面に設けた円筒面との間に配置される複数のローラと、
一対の円環部と、該一対の円環部間を連結する複数の柱部とを有し、前記複数のローラを保持する保持器と、
を備えるローラクラッチであって、
前記複数のカム面は、前記ローラに対して前記一方の周面の少なくとも軸方向一側に延出して形成されており、
前記一方の周面と対向する前記保持器の少なくとも一方の円環部の対向面には、前記カム面に沿った形状を有する少なくとも一つの傾斜凸部が設けられ、
前記保持器は、所定の向きから、前記一方の周面を有する前記外輪相当部材又は前記内輪相当部材に対して配置可能であり、
前記傾斜凸部と、前記一方の周面を有する前記外輪相当部材又は前記内輪相当部材の軸方向側面との干渉のため、前記保持器は、前記所定の向きと逆向きから、前記外輪相当部材又は前記内輪相当部材に対して配置不可能であることを特徴とするローラクラッチ。
【発明の効果】
【００１１】
本発明のローラクラッチによれば、複数のカム面は、ローラに対して少なくとも軸方向一側に延出して形成されており、一方の周面と対向する保持器の少なくとも一方の円環部の対向面には、カム面に沿った形状を有する少なくとも一つの傾斜凸部が設けられ、保持器は、所定の向きから、一方の周面を有する外輪相当部材又は内輪相当部材に対して配置可能であり、傾斜凸部と、一方の周面を有する外輪相当部材又は前記内輪相当部材の軸方向側面との干渉のため、保持器は、所定の向きと逆向きから、外輪相当部材又は内輪相当部材に対して配置不可能である。これにより、ローラクラッチの機能を害さずに、逆組みを物理的に防ぐことができる。
【図面の簡単な説明】
【００１２】
【図１】本発明の第１実施形態に係るローラクラッチの保持器の斜視図である。
【図２】（ａ）は、図１の保持器が正組みされた場合の側面図であり、（ｂ）は、図１の保持器が逆組みされた場合の側面図である。
【図３】（ａ）は、第１変形例の保持器が正組みされた場合の側面図であり、（ｂ）は、第１変形例の保持器が逆組みされた場合の側面図である。
【図４】（ａ）は、第２変形例の保持器が正組みされた場合の側面図であり、（ｂ）は、第２変形例の保持器が逆組みされた場合の側面図である。
【図５】本発明の第２実施形態に係るローラクラッチを示し、（ａ）は、保持器が正組みされた場合の側面図であり、（ｂ）は、保持器が逆組みされた場合の側面図である。
【図６】従来のローラクラッチの断面図である。
【図７】従来のローラクラッチの保持器を示す斜視図である。
【図８】（ａ）は、図７の保持器が正組みされた場合の側面図であり、（ｂ）は、図７の保持器が逆組みされた場合の側面図である。
【発明を実施するための形態】
【００１３】
以下、本発明の各実施形態に係るローラクラッチについて図面に基づいて詳細に説明する。
【００１４】
（第１実施形態）
第１実施形態のローラクラッチは、図６に示す従来のローラクラッチ１と、保持器１０の構成において異なるのみである。このため、従来技術と実質的に同等な構成については、同一符号を付して、説明を省略あるいは簡略化する。
【００１５】
図１に示すように、保持器１０は、外輪２の複数のカム面７と対向する一対の円環部１１の一方の外周面（対向面）に、カム面７に沿った形状を有する複数の傾斜凸部１７が設けられている。
【００１６】
これにより、図２（ａ）に示すように、保持器１０と外輪２が正しい向きで組み付けられた場合には、複数の傾斜凸部１７が、少なくとも軸方向一端に亙って形成された複数のカム面７にそれぞれ嵌まり込む。一方、図２（ｂ）に示すように、保持器１０を外輪２に対して逆向きに組み込もうとした場合には、複数の傾斜凸部１７が、複数のカム面７に嵌まり込むことができず、外輪２の軸方向側面と干渉する。したがって、ローラクラッチ１の機能を害せずに、組立の際に視覚的、感覚的、物理的に組み立てる方向がわかり、逆組みを防止することができる。
【００１７】
なお、図３（ａ）及び（ｂ）に示す第１変形例のように、複数のカム面７に対して１つおきに複数の傾斜凸部１７が設けられてもよく、あるいは、図４（ａ）及び（ｂ）に示す第２変形例のように、複数のカム面７に対して１つの傾斜凸部１７のみが設けられてもよく、いずれの構成においても、逆組みを防止することができる。
【００１８】
（第２実施形態）
図５に示す第２実施形態のローラクラッチ１ａでは、内輪５ａの外周面の複数箇所に、深さが円周方向一方から他方に向かって漸減するように形成されるカム面７ａが内輪５ａの軸方向に亙って形成され、これらのカム面７ａが円周方向に等間隔で形成されている。そして、複数のローラ３，３は、内輪５ａの外周面に設けられた各カム面７ａと、外輪２の内周面に設けられた円筒面８ａとの間に形成された各楔空間内に配置される。
【００１９】
この場合にも、保持器１０は、内輪５ａの複数のカム面７ａと対向する一対の円環部１１の一方の内周面（対向面）に、カム面７ａに沿った形状を有する複数の傾斜凸部１７ａが設けられている。
【００２０】
これにより、図５（ａ）に示すように、保持器１０と内輪５ａが正しい向きで組み付けられた場合には、複数の傾斜凸部１７ａが、少なくとも軸方向一側に延出して形成された複数のカム面７にそれぞれ嵌まり込む。一方、図５（ｂ）に示すように、保持器１０を内輪５ａに対して逆向きに組み込もうとした場合には、複数の傾斜凸部１７ａが、複数のカム面７ａに嵌まり込むことができず、内輪５ａの軸方向側面と干渉する。したがって、ローラクラッチ１ａの機能を害せずに、組立の際に視覚的、感覚的、物理的に組み立てる方向がわかり、逆組みを防止することができる。
【００２１】
尚、本発明は、上述した実施形態に限定されるものではなく、適宜、変形、改良等が可能である。
例えば、本実施形態では、保持器１０の一対の円環部１１の一方にのみに、傾斜凸部が設けられる構成としたが、一対の円環部１１の両側に傾斜凸部１７が設けられても良い。
また、本発明は、傾斜凸部１７を有することで、保持器１０が外輪２と相対回転不能になるため、突部１６を有しない構成であってもよい。
【符号の説明】
【００２２】
１、１ａ  ローラクラッチ
２        外輪（外輪相当部材）
３        ローラ
５        軸（内輪相当部材）
５ａ      内輪（内輪相当部材）
７、７ａ  カム面
８、８ａ  円筒面
１０      保持器
１１      円環部
１２      柱部
１３      ポケット
１７、１７ａ  傾斜凸部
【図１】
0005929165.tif 000002
【図２】
0005929165.tif 000003
【図３】
0005929165.tif 000004
【図４】
0005929165.tif 000005
【図５】
0005929165.tif 000006
【図６】
0005929165.tif 000007
【図７】
0005929165.tif 000008
【図８】
0005929165.tif 000009